(57)【要約】【課題】操作性の向上とともに入力方法の多様化に対応可能な端末装置を提供することである。【解決手段】本発明は、直接オブジェクトに触れるタッチパネルと、ニューロポインタの持つ操作を、同一のガラス面で融合させる新たなインターフェースを提供する。また、本発明では、タッチパネルとポインティングデバイスをそれぞれ操作して、カーソル移動、決定がなされるので、例えば、鞄やポケットの中で誤操作等が生じることもない。本発明は、カーソルを表示し、該カーソルによる操作入力の受け付けるタッチパネルを備えたことを特徴とする。また本発明は、前記タッチパネルにカーソルを表示するか否かを選択するカーソル表示選択手段をさらに備えたことを特徴とする。また本発明は、前記カーソル表示選択手段が、前記タッチパネルに操作者が触れたことを検出し、該検出結果を契機に、該タッチパネルにカーソルを表示するか否かを選択することを特徴とする。【選択図】図１
2010211369.tif 000002
【特許請求の範囲】
【請求項１】
カーソルを表示し、該カーソルによる操作入力の受け付けるタッチパネルを備えたことを特徴とする端末装置。
【請求項２】
前記タッチパネルにカーソルを表示するか否かを選択するカーソル表示選択手段をさらに備えたことを特徴とする請求項１に記載の端末装置。
【請求項３】
前記カーソル表示選択手段が、前記タッチパネルに操作者が触れたことを検出し、該検出結果を契機に、該タッチパネルにカーソルを表示するか否かを選択することを特徴とする請求項２に記載の端末装置。
【請求項４】
前記タッチパネルにカーソルが表示されているときに、該カーソルの表示位置を移動させるカーソル移動手段をさらに備えたことを特徴とする請求項１ないし３のうちのいずれか１項に記載の端末装置。
【請求項５】
前記タッチパネルにカーソルが表示されているときに、該カーソルの表示位置におけるクリックを実行するクリック手段をさらに備えたことを特徴とする請求項１ないし４のうちのいずれか１項に記載の端末装置。
【請求項６】
タッチパネルにカーソルを表示し、該カーソルによる操作入力の受け付けることを特徴とする端末装置の操作入力方法。
【発明の詳細な説明】
【技術分野】
【０００１】
本発明は端末装置に関し、特に操作性を向上した端末装置に関する。
【背景技術】
【０００２】
従来、携帯電話機等の端末装置において、操作者が操作、入力する手段として、いわゆるポインティングデバイスやタッチパネルなどが知られている。
【０００３】
たとえば特許文献１には、操作者が触れて入力を行うことができるタッチパッドにおいて、パッド面に触れない状態での操作者が意図しない入力ポインタの移動を防ぐ発明について開示している。
【０００４】
この特許文献１に開示されているのは、タッチパッドに関するものであり、このタッチパッドに操作者が触れることにより、画面に表示させた入力ポインタを操作可能なものであり、いわゆるポインティングデバイスと呼ばれるものである。
【０００５】
一方、いわゆるタッチパネルと呼ばれるものは、表示画面に操作者が触れることにより、入力を可能とするものである。
【先行技術文献】
【特許文献】
【０００６】
【特許文献１】特開２００１−３０６２４６号公報
【発明の概要】
【発明が解決しようとする課題】
【０００７】
ところで最近では、端末装置の小型化や機能の多様化に伴い、端末装置における入力装置においては操作性の向上が望まれている。また、操作者それぞれで使いやすい入力方法は異なるものであるため、操作性の向上とともに入力方法の多様化が望まれている。
【０００８】
たとえば特許文献１には、ポインティングデバイスを操作するタッチパッドが開示されているが、操作者によっては他の入力方法を望む可能性がある。
【０００９】
本発明は上記の点にかんがみてなされたもので、操作性の向上とともに入力方法の多様化に対応可能な端末装置を提供することを目的とする。
【課題を解決するための手段】
【００１０】
上記課題を解決するにあたり、本発明は、直接オブジェクトに触れるタッチパネルと、ニューロポインタの持つ操作を、同一のガラス面で融合させる新たなインターフェースを提供する。また、本発明では、タッチパネルとポインティングデバイスをそれぞれ操作して、カーソル移動、決定がなされるので、例えば、鞄やポケットの中で誤操作等が生じることもない。
【００１１】
すなわち本発明は、カーソルを表示し、該カーソルによる操作入力の受け付けるタッチパネルを備えたことを特徴とする。
【００１２】
また本発明は、前記タッチパネルにカーソルを表示するか否かを選択するカーソル表示選択手段をさらに備えたことを特徴とする。
【００１３】
また本発明は、前記カーソル表示選択手段が、前記タッチパネルに操作者が触れたことを検出し、該検出結果を契機に、該タッチパネルにカーソルを表示するか否かを選択することを特徴とする。
【００１４】
また本発明は、前記タッチパネルにカーソルが表示されているときに、該カーソルの表示位置を移動させるカーソル移動手段をさらに備えたことを特徴とする。
【００１５】
また本発明は、前記タッチパネルにカーソルが表示されているときに、該カーソルの表示位置におけるクリックを実行するクリック手段をさらに備えたことを特徴とする。
【００１６】
また本発明は、タッチパネルにカーソルを表示し、該カーソルによる操作入力の受け付けることを特徴とする。
【発明の効果】
【００１７】
本発明によれば、以下のような効果を奏する。
【００１８】
すなわち本発明によれば、直接オブジェクトに触れるタッチパネルと、ニューロポインタの持つ操作を、同一のガラス面で融合させる新たなインターフェースを提供する。また、タッチパネルとポインティングデバイスをそれぞれ操作して、カーソル移動、決定がなされるので、例えば、鞄やポケットの中で誤操作等が生じることもない。
【図面の簡単な説明】
【００１９】
【図１】本発明による端末装置の一実施形態の構成を示すブロック図である。
【図２】図１に示した携帯電話機１００の動作の処理流れを示すフローチャートである。
【図３】図１に示した携帯電話機１００の表示部１０７および操作部１０８による表示および操作について説明する図であって、（ａ）は表示部１０７においてタッチパネル操作をしている状態を示す図であり、（ｂ）は表示部１０７の所定位置であるカーソルホームポジションに触れることによって表示部１０７にカーソルを出現させた状態を示す図であり、（ｃ）表示部１０７の所定位置であるカーソルホームポジションをタップ（軽く叩く）することによって、現在のカーソル位置でクリック実行した状態を示す図であり、（ｄ）は表示部１０７のカーソルホームポジション以外の所定位置に触れることによって表示部１０７のカーソルを消去させた状態を示す図である。
【発明を実施するための形態】
【００２０】
以下、本発明の実施形態について図面を参照して詳細に説明する。
【００２１】
図１は、本発明による端末装置の一実施形態の構成を示すブロック図である。
【００２２】
本実施形態では、端末装置が携帯電話機である場合を例に挙げて説明する。
【００２３】
本実施形態の携帯電話機１００は、タッチパネル機能を有する表示部１０７および操作部１０８を備え、表示部１０７へのタッチ操作に応答してカーソルの表示、非表示を制御するとともに、カーソルＯＮ表示状態のとき、カーソル移動、決定操作を有効とする制御を行うことを特徴とする。この携帯電話機１００の制御は、プログラム制御により動作する。
【００２４】
また、本実施形態の携帯電話機１００は、プログラム制御により動作する、通信機能（通話、メール送受信、インターネット接続）やＴＶ放送受信機能等を備えている。
【００２５】
図１を参照すると、携帯電話機１００は、アンテナを介して、図示しない無線基地局装置との間で無線により情報の送受を行う無線通信部１０１と、放送局（地上局、衛星など）から送信された放送信号を、アンテナを介して受信し、該受信した信号の復調による映像データ、音声データ、情報データ等の放送信号処理を行う放送受信部１０２と、画像情報の取得（撮影）を行うカメラ部１０３と、送話部であるマイク１０５と、受話部であるスピーカ１０６と、マイク１０５およびスピーカ１０６を介して入出力された音声信号の処理を行う音声処理部１０４と、画像、図形、文字、記号などの情報表示出力（映像信号処理）を行う表示機能、および圧力や静電容量等の方式により操作者の入力操作を感知するスイッチ機能を兼ね備えたタッチパネル（タッチスクリーン）である表示部１０７と、ポインティングデバイス（カーソル移動、決定キー）、テンキー等から構成され、携帯電話機１００に対する操作者の各種情報入力を行う操作部１０８と、楽音や報知音などの鳴音出力を行うスピーカ１０９と、電話帳情報、送受信メール情報、発着呼情報、コンテンツ情報、アプリケーションプログラム情報、撮影画像、および携帯電話機１００の諸設定等を格納する記憶部１１０と、電話機能、メール機能、インターネット（ｗｅｂ）接続機能、カメラ機能、テレビ受信機能、コンテンツ再生機能、その他の携帯電話機１００の有する機能や各部の制御を行う制御部１１１と、を備えて構成される。
【００２６】
次に、本実施形態の携帯電話機１００の動作について、図２、図３を参照して説明する。
【００２７】
図２は、図１に示した携帯電話機１００の動作の処理流れを示すフローチャートである。
【００２８】
また、図３は、図１に示した携帯電話機１００の表示部１０７および操作部１０８による表示および操作について説明する図であって、（ａ）は表示部１０７においてタッチパネル操作をしている状態を示す図であり、（ｂ）は表示部１０７の所定位置であるカーソルホームポジションに触れることによって表示部１０７にカーソルを出現させた状態を示す図であり、（ｃ）表示部１０７の所定位置であるカーソルホームポジションをタップ（軽く叩く）することによって、現在のカーソル位置でクリック実行した状態を示す図であり、（ｄ）は表示部１０７のカーソルホームポジション以外の所定位置に触れることによって表示部１０７のカーソルを消去させた状態を示す図である。
【００２９】
図２を参照して説明すると、表示部１０７は情報表示するとともに、操作者によるタッチ操作を検出し制御部１１０に通知する。携帯電話機１００の制御部１１０は、この表示部１０７へのタッチ操作を監視しており（Ｓ２０１）、タッチ操作がなければそのまま監視を継続する（Ｓ２０１：Ｎｏ）。
【００３０】
表示部１０７へのタッチ操作を検出した場合には（Ｓ２０１：Ｙｅｓ）、現在、表示部１０７上にカーソルを表示しているか否かを判定し（Ｓ２０２）、現在、表示している場合には（Ｓ２０２：Ｙｅｓ）、表示部１０７上でのカーソルの表示を消去し、カーソルによるポインティングの操作入力を無効とする（Ｓ２０６）。
【００３１】
一方、ステップ（Ｓ２０２）において、現在、表示していない場合には（Ｓ２０２：Ｎｏ）、表示部１０７上にカーソルを表示し、カーソルによるポインティングの操作入力を有効とする（Ｓ２０３）。
【００３２】
その後、表示部１０７上で操作者が指を滑らすポインティング操作の入力を待ち（Ｓ２０４）、ポインティング操作がなければこのまま操作入力を待ち（Ｓ２０４：Ｎｏ）、ポインティング操作が入力されたならば（Ｓ２０４：Ｙｅｓ）、その操作に応じて表示部１０７上のカーソルの移動、決定等を実行する（Ｓ２０５）。
【００３３】
ところで、ステップ（Ｓ２０１）のタッチ操作の検出を行う位置としては、現在カーソルを表示中か否かで異ならせてもよい。この例について図３を参照しながら説明する。
【００３４】
図３の例では、ＬＣＤ等の表示部１０７の右側の一部領域に、ポインティングデバイスとして利用可能な操作部１０８としての機能を持たせる。
【００３５】
図３（ａ）に示すように、表示部１０７は通常はタッチパネルの操作が可能に構成される。このとき、表示部１０７の右側の一部領域は、ポインティングデバイスとして無効に構成される。
【００３６】
また、図３（ｂ）に示すように、表示部１０７の右側の一部領域の所定位置（カーソルホームポジションと呼ぶ）に操作者が指を置くと、表示部１０７上にカーソルを表示し、その後は、表示部１０７の右側の一部領域をポインティングデバイスとして利用可能となり、ポインティングデバイスとして有効に構成される。
【００３７】
この表示部１０７上にカーソルを表示した状態では、図３（ｂ）に示すように、表示部１０７の右側の一部領域で操作者が指を滑らすと、その動きに応じてカーソルを移動させる。
【００３８】
また、この表示部１０７上にカーソルを表示した状態では、図３（ｃ）に示すように、操作者が表示部１０７上の所望位置にカーソルを移動させた後に、表示部１０７の右側の一部領域のカーソルホームポジションを操作者が指で軽く叩く（タップする）と、現在のカーソル位置でクリックされたものと同様に処理実行する。
【００３９】
また、表示部１０７上にカーソルを表示した状態において、図３（ｄ）に示すように、表示部１０７にタッチすると、カーソルは消え、図３（ａ）に示した状態に戻り、表示部１０７はタッチパネルの操作が可能に構成される。このとき、表示部１０７の右側の一部領域は、ポインティングデバイスとして無効に構成される。
【００４０】
以上説明した本発明によれば、直接オブジェクトに触れるタッチパネルと、ニューロポインタの持つ操作を、同一のガラス面で融合させる新たなインターフェースを提供することができる。また、タッチパネルとポインティングデバイスをそれぞれ操作して、カーソル移動、決定がなされるので、たとえば、鞄やポケットの中で誤操作等が生じることもない。
【産業上の利用可能性】
【００４１】
本発明は、携帯電話機やその他通信端末装置など、さまざまな端末装置に適用可能であり、また、操作者による操作を受け付けるすべての機器に適用可能である。
【符号の説明】
【００４２】
１００  携帯電話機
１０１  無線通信部
１０２  放送受信部
１０３  カメラ部
１０４  音声処理部
１０５  マイク
１０６  スピーカ
１０７  表示部
１０８  操作部
１０９  スピーカ部
１１０  記憶部
１１１  制御部
【図１】
2010211369.tif 000003
【図２】
2010211369.tif 000004
【図３】
2010211369.tif 000005